(57)【特許請求の範囲】
【請求項１】
流入管及び流出管と各々接続する流入部及び流出部と濾過室を備え、前記濾過室に筒状スクリーン体を流入側が水密となるように収納し、前記濾過室の開口部に着脱自在のキャップ体を設けたＹ形ストレーナーにおいて、キャップ体を、挿入筒部と底面部と底面部に突設した操作部を備える容器形状に形成すると共に、前記挿入筒部周面に係止突部を設け、濾過室開口部に、前記挿入筒部が密挿される受筒部を設けると共に、前記受筒部内における奥方側にリングシールを装着し、開口側に係止突部が係合する係合凹条部と、係合凹条部に係止突部が進出可能とする開口端切欠部を形成してなることを特徴とするＹ形ストレーナー。
【請求項２】
開口端切欠部及び開口端切欠部に面した係合凹条部を満たすと共に、前記開口端切欠部の箇所に係止可能とした係止構造を備えた樹脂製装着体を、キャップ体装着後に開口端切欠部及び開口端切欠部に面した係合凹条部を共に満たすように係着してなる請求項１記載のＹ形ストレーナー。
【請求項３】
流入部と濾過室の間に仕切り部を設けると共に、仕切り部に装着筒孔を形成し、筒状スクリーン体が、前記仕切り部と装着したキャップ体底面部との距離に対応する長さで、先端に前記装着筒孔に外挿するリングシールを内装した外挿部を設けてなる請求項１又は２記載のＹ形ストレーナー。
【発明の詳細な説明】
【技術分野】
【０００１】
本発明は、異物を含む管路に介装して管路内通過流体から異物を除去するＹ形ストレーナーに関するものである。
【背景技術】
【０００２】
Ｙ形ストレーナーは周知のとおり本体となるＹ形管の一辺管を濾過室とし、他方辺管を流入管と流出管と接続し、濾過室内に筒状スクリーン体を差し入れ、濾過室開口部をキャップ体で閉塞しているものである。
【０００３】
キャップ体は、ねじ込み形と称されナットタイプやボルトタイプの形式の部材（特許文献１，２）、フランジ形と称される濾過室開口部のフランジと連結する蓋体の形式の部材が知られている。
【先行技術文献】
【特許文献】
【０００４】
【特許文献１】実開平３−１１５０１３号公報。
【特許文献２】特開２０１０−２５５８２８号公報。
【発明の概要】
【発明が解決しようとする課題】
【０００５】
Ｙ形ストレーナーは管路途中に介設して使用するものであるが、筒状スクリーン体が異物を捕捉するため、当然に異物の捕捉に応じて目詰まりが生ずるので、適期な期間ごとに前記筒状スクリーン体の洗浄や交換が必要になってくる。
【０００６】
前記の筒状スクリーン体の洗浄・交換作業は、キャップ体を濾過室開口部から外して行なうため、従前のフランジ型タイプでは、フランジ連結に使用されているボルト・ナットの着脱作業が煩瑣であり、またナットタイプのものでも、特許文献２に開示されているように、キャップ体に操作ハンドルを付設する手段を採用しなければならないように、やはり着脱作業が煩瑣である。
【０００７】
そこで本発明は、キャップ体の着脱操作が容易に行うことができる新規なＹ形ストレーナーを提案したものである。
【課題を解決するための手段】
【０００８】
本発明に係るＹ形ストレーナーは、流入管及び流出管と各々接続する流入部及び流出部と濾過室を備え、前記濾過室に筒状スクリーン体を流入側が水密となるように収納し、前記濾過室の開口部に着脱自在のキャップ体を設けたＹ形ストレーナーにおいて、キャップ体を、挿入筒部と底面部と底面部に突設した操作部を備える容器形状に形成すると共に、前記挿入筒部周面に係止突部を設け、濾過室開口部に、前記挿入筒部が密挿される受筒部を設けると共に、前記受筒部内における奥方側にリングシールを装着し、開口側に係止突部が係合する係合凹条部と、係合凹条部に係止突部が進出可能とする開口端切欠部を形成してなることを特徴とするものである。
【０００９】
従って筒状スクリーン体を濾過室に収納した状態で、キャップ体を受筒部内に、キャップ体の係止突部を開口端切欠部から差し入れて係合凹条部内に位置させ、しかる後回動させて係止突部を開口端切欠部から移動させると、キャップ体が水密で抜け止め状態となる。またキャップ体を回動して、係止突部を開口端切欠部の位置に戻すと、キャップ体を抜き出すことができる。
【００１０】
また本発明の請求項２記載の発明は、開口端切欠部及び切欠部に面した係合凹条部を満たすと共に、前記開口端切欠部の箇所に係止可能とした係止構造を備えた樹脂製装着体を、キャップ体装着後に開口端切欠部及び開口端切欠部に面した係合凹条部を共に満たすように係着してなるもので、キャップ体の装着後に開口端切欠部及びそれに連続する係合凹条部を、樹脂製装着体で埋めることによって、キャップ体が回動しても係止突部が開口端切欠部に達することが阻止され、キャップ体が外れてしまう不測の事態の発生を防止する。
【００１１】
また本発明の請求項３記載の発明は、流入部と濾過室の間に仕切り部を設けると共に、仕切り部に装着筒孔を形成し、筒状スクリーン体が、前記仕切り部と装着したキャップ体底面部との距離に対応する長さで、先端に前記装着筒孔に外挿するリングシールを内装した外挿部を設けたもので、筒所スクリーン体を流入側に対して確実に水密となるようにした。即ち装着筒孔に外挿部を装着（外挿）すると、リングシールで流入部と濾過室との間に筒状スクリーン体が介在し、且つ筒状スクリーン体を濾過室収納のためにその全長を濾過室全長より短く形成したとしても、装着筒部の形成長さを適宜定めておくと、管路を流れる液体（通過流体）によって筒状スクリーン体が濾過室開口端側に押されて移動したとして、前記の水密性は確保できるものである。
【発明の効果】
【００１２】
本発明は上記の構成とおりで、筒状スクリーン体の洗浄・交換作業のためのキャップ体の着脱を、従前器具のようなフランジ連結のボルト・ナットの着脱作業や、螺合キャップ体の回転操作を行うことなく、キャップ体の半回転以下の回動操作で行うことができたものである。
【図面の簡単な説明】
【００１３】
【図１】本発明の実施形態のストレーナー本管の一部切断した正面図。
【図２】同筒状スクリーン体とキャップ体の一部切断した正面図。
【図３】同本管に筒状スクリーン体を収納した状態の一部切断した正面図。
【図４】同筒状スクリーン体の装着状態の断面部（流入部側）。
【図５】同図（キャップ体側）。
【図６】同キャップ体の装着説明図。
【図７】同斜視図（装着前）。
【図８】同図（装着操作時）。
【図９】同図（装着後）。
【発明を実施するための形態】
【００１４】
次に本発明の実施形態について説明する。実施形態に示したＹ形ストレーナーは、流入管Ａ及び流出管Ｂの間に介設するもので、本管１と、筒状スクリーン体２と、キャップ体３と樹脂製装着体４で構成される。
【００１５】
本管１は、従前周知のＹ形状で、管路に接続される流入部１１と流出部１２と、前記の流入部１１及び流出部１２との間の流路となり所定の濾過面積を得ることができるようにした濾過室１３で形成され、流入部１１と流出部１２の開口端は、流入管Ａ及び流出管Ｂと連結するためのフランジ１１１，１２１が設けられている。尚図１における流入管Ａ及び流出管Ｂの配置を便宜上上下で表示したもので、使用状態は左右に配置されるものである。
【００１６】
濾過室１３は、流入部１１との間に仕切り部１３１を設けると共に、前記仕切り部１３１に濾過室１３の開口部方向に適宜長さ（後述する筒状スクリーン体２の長手方向移動範囲以上）の直線状に延設した装着筒孔１３２を設ける。
【００１７】
また濾過室１３の開口個所には、受筒部１３３を形成してなり、前記受筒部１３３は、内周面奥方にリングシール１３４を装着し、開口側に内面全周に渡る係合凹条部１３５を形成し、且つ係合凹条部１３５の一部が開口端まで連続するように、開口端切欠部１３６を形成したものである。尚前記の受筒部１３３、リングシール１３４及び係合凹条部１３５は、後述するキャップ体３の各部の形状に対応する寸法としたものである。また開口端切欠部１３６に隣接して後述する樹脂製装着体４の係止凹溝１３７を設けておく。
【００１８】
筒状スクリーン体２は、仕切り部１３１と受筒部１３３の開口端（後述するキャップ体３の装着時の底面部３２）との距離に対応する長さで、所定のメッシュ状に形成したスクリーン筒部２１の尾端を底面板部２２で塞ぎ、先端に外挿部２３を設けたものである。
【００１９】
外挿部２３は、前記装着筒孔１３２に外挿できる大きさで、内周面にリングシール２３１を設けて、装着筒孔１３２に水密状態で装着できるようにしたものである。
【００２０】
キャップ体３は、挿入筒部３１と、底面部３２と、底面部３２に突設した操作部３３を備える容器形状に形成したものである。挿入筒部３１は、濾過室１３の開口個所に設けた受筒部１３３に着脱される外径を備え、周面に係止突部３１１を設けてなる。
【００２１】
係止突部３１１は、適宜幅及び高さを備え、且つ対向位置で中心角９０〜４５度の長さ（円周方向の幅）に設けたもので、前記した係止凹条部１３５の溝幅及び開口端切欠部１３６の開口幅と対応するものである。
【００２２】
樹脂製装着体４は、開口端切欠部１３６に臨む係止凹条部１３５と、その受筒部１３３の表面部分とを自己の弾性で挟持すると共に、開口端切欠部１３６を満たす形状で、前記挟持に際して係止凹溝１３７に係止される突部（図示せず）を設けてなる。
【００２３】
而して前記Ｙ形ストレーナーは、本管１を管路（流入管Ａと流出管Ｂの間）に介装し、濾過室１３内に開口部から筒状スクリーン体２を差し込み収納し、キャップ体３で濾過室１３の開口部を閉塞したもので、流入部１１に侵入した管路通過液体は、筒状スクリーン体２を通過して流出部１２に流れ、筒状スクリーン体２を通過に際して、通過流体に含まれる異物を捕捉するものである。
【００２４】
筒状スクリーン体２の装着手段は、筒状スクリーン体２を受筒部１３３から濾過室１３内に差し入れ、外挿部２３を装着筒孔１３２に装着する。前記の装着は、装着筒孔１３２がリングシール２３１の内方に密挿され、通過流体が必ず筒状スクリーン体２を通過することになり、流入部１１から直接流出部１２に漏出することが無い。
【００２５】
次にキャップ体３を受筒部１３３に装着するもので、キャップ体３の係止突部３１１を開口端切欠部１３６の位置に合わせ、挿入筒部３１を受筒部１３３内に差し入れ、係止突部３１１が係合凹条部１３５の位置に達すると、係合凹条部１３５にぶつかる。この位置で挿入筒部３１はリングシール１３４に密挿され、濾過室１３は、キャップ体３によって水密状態で閉塞される。
【００２６】
更にキャップ体３を、所定角度（係止突部３１１が開口端切欠部１３６から完全に隠れる位置まで）回動させる。この回動操作による係合凹条部１３５と係止突部３１１の係合により、キャップ体３は抜け止め状態となる。
【００２７】
次に樹脂製装着体４を装着するもので、キャップ体３の装着後の開口端切欠部１３６及び開口端切欠部１３６に連続する係合凹条部１３５の空間を、樹脂装着体４で満たし、キャップ体３が回動しても係止突部３１１が開口端切欠部１３６に達することを阻止するものである。
【００２８】
従って筒状スクリーン体２の洗浄・交換作業のために行う、キャップ体３の濾過室１３の開口部からの脱着作業は、樹脂製装着体４の脱着と、キャップ体３の９０度以下の回動操作であり、簡単な操作で行うことができたものである。
【００２９】
また筒状スクリーン体２の水密装着においても、特に装着筒孔１３２と筒状スクリーン体２の外挿部２３の組み合わせによって、筒状スクリーン体２の装着に多少の遊びが存在したとしても、管路通過液体の流れ込みによって筒状スクリーン体２が濾過室１３の開口端側（キャップ体３の底面部３２）に押されて安定し、且つ水密性は維持されることになる。而も前記の遊びの存在によって、筒状スクリーン体２の全長と濾過室１３の全長との完全な一致を求めなくとも良く、製造上の精度を厳しく要求されることなく、実質的にキャップ体３の製造が容易になるものである。
【００３０】
尚本実施形態において、開口端切欠部１３６が受筒部１３３の表面側まで達する形態に図示しているが、少なくとも係止突部３１１を係合凹条部１３５の位置まで差し込むことが可能であれば良く、受筒部１３３の表面まで達しない形態でも良い。
【符号の説明】
【００３１】
１      本管
１１    流入部
１２    流出部
１１１，１２１    フランジ
１３    濾過室
１３１    仕切り部
１３２    装着筒孔
１３３    受筒部
１３４    リングシール
１３５    係合凹条部
１３６    開口端切欠部
１３７    係止凹溝
２      筒状スクリーン体
２１    スクリーン筒部
２２    底面板部
２３    外挿部
２３１    リングシール
３      キャップ体
３１    挿入筒部
３１１    係止突部
３２    底面部
３３    操作部
４    樹脂製装着体
【図１】
0006374764.tif 000002
【図２】
0006374764.tif 000003
【図３】
0006374764.tif 000004
【図４】
0006374764.tif 000005
【図５】
0006374764.tif 000006
【図６】
0006374764.tif 000007
【図７】
0006374764.tif 000008
【図８】
0006374764.tif 000009
【図９】
0006374764.tif 000010